(57)【要約】【課題】  電子ペーパーに適用可能であって、比較的高速な画像表示を実現しつつ、明るいカラー表示を実現することができる反射型の表示方式を採用した表示装置及び表示駆動方法を提供する。【解決手段】  表示パネル１０Ａを構成する画素セルＰＥＣは、対向して配置された上部基板１１及び下部基板１２と、隔壁１３及び同一色のカラーフィルタ壁１４により形成された画素空間ＳＣと、上部基板１１の背面側から突出した三角プリズム１５と、該三角プリズム１５の傾斜面に密着して積層形成された透明電極１６ａと、下部基板１２の視野側に、三角プリズム１５に対向して形成された対向電極１７ａと、画素空間ＳＣ内に封入された黒色の帯電粒子ＰＬＢと、を備えた構成を有し、透明電極１６ａと対向電極１７ａに印加される信号電圧に応じて、画素空間ＳＣに所定の極性を有する電界が形成される。【選択図】  図２
2005275261.tif 000002
【特許請求の範囲】
【請求項１】
対向して配置された一対の基板間に規定された画素空間に、帯電性の微粒子を封入した複数の画素セルを、２次元配列した表示パネルを備え、各画素セル内に設けられた一対の電極間に電界を形成し、該電界の極性に応じて前記微粒子を前記一対の電極の一方及び他方の電極の何れか側に移動、付着させて所望の表示状態を設定し、画像情報を表示する表示装置において、
前記一対の基板は、視野側に配置され、透明な基板材料により形成された第１の基板と、背面側に配置された第２の基板と、からなり、
前記画素セルは、前記画素空間に面して配置された、所定の色を有するカラーフィルタを備え、
前記一対の電極は、少なくとも前記第１の基板を介して前記画素空間に入射する光が前記カラーフィルタに至る光路を遮断する位置に配置された、透明な導電性材料により形成された第１の電極と、前記光路を遮断しない位置に配置された第２の電極と、からなることを特徴とする表示装置。
【請求項２】
前記画素セルは、各々、前記光を反射させて前記カラーフィルタに到達させる光学部材を備えていることを特徴とする請求項１記載の表示装置。
【請求項３】
前記光学部材は、前記第１の基板に密着して設けられるとともに、前記画素空間に突出する一対の傾斜面を有するプリズムであることを特徴とする請求項２記載の表示装置。
【請求項４】
前記画素セルは、前記光学部材として、反射膜をさらに備えていることを特徴とする請求項３記載の表示装置。
【請求項５】
前記カラーフィルタは、前記一対の基板に対して垂直に配置されていることを特徴とする請求項１乃至４のいずれかに記載の表示装置。
【請求項６】
前記カラーフィルタは、前記画素セルの前記画素空間相互の境界となる隔壁を構成することを特徴とする請求項５記載の表示装置。
【請求項７】
前記隔壁は、異なる色を有する前記カラーフィルタ同士が接合された構成を有し、前記画素セルごとに同一の色を有するカラーフィルタが対向するように構成されていることを特徴とする請求項５又は６記載の表示装置。
【請求項８】
前記隔壁は、所定の色を有する前記カラーフィルタ単体で構成され、前記画素セルごとに異なる色を有するカラーフィルタが対向するように構成されていることを特徴とする請求項５又は６記載の表示装置。
【請求項９】
前記隔壁は、前記第１の基板に密着して設けられ、前記第２の基板との間に間隙を有していることを特徴とする請求項６乃至８のいずれかに記載の表示装置。
【請求項１０】
前記第１の電極は、前記プリズムの前記一対の傾斜面に設けられていることを特徴とする請求項３乃至９のいずれかに記載の表示装置。
【請求項１１】
前記第１の電極は、前記プリズムの前記一対の傾斜面のうちの、いずれか一方に設けられていることを特徴とする請求項３乃至９のいずれかに記載の表示装置。
【請求項１２】
前記第１の電極は、前記カラーフィルタ表面に設けられていることを特徴とする請求項３乃至９のいずれかに記載の表示装置。
【請求項１３】
前記第１の電極は、前記第１の基板表面に設けられ、
前記カラーフィルタは、前記第２の基板表面に配置されていることを特徴とする請求項１記載の表示装置。
【請求項１４】
前記第２の電極は、前記第２の基板表面に設けられていることを特徴とする請求項１０乃至１３のいずれかに記載の表示装置。
【請求項１５】
前記第２の電極は、前記画素セルの前記画素空間相互の境界領域に設けられていることを特徴とする請求項１０乃至１３のいずれかに記載の表示装置。
【請求項１６】
前記第２の電極は、前記第１の基板に密着して設けられ、前記第２の基板との間に間隙を有する前記隔壁の端面に設けられていることを特徴とする請求項１５記載の表示装置。
【請求項１７】
前記第２の電極は、前記プリズムの前記一対の傾斜面のうちの、他方の傾斜面に設けられていることを特徴とする請求項１１記載の表示装置。
【請求項１８】
前記反射膜は、前記プリズムの前記一対の傾斜面のうちの、他方の傾斜面に設けられていることを特徴とする請求項１１又は１２記載の表示装置。
【請求項１９】
前記反射膜は、前記第２の基板表面に設けられていることを特徴とする請求項１１又は１２記載の表示装置。
【請求項２０】
前記画素セルは、各々、赤色、緑色、青色の３系色のうち、いずれかの色を有する前記カラーフィルタを備え、黒色を有する前記微粒子が個別に封入され、前記３系色を一組として前記表示パネルの一表示画素を構成することを特徴とする請求項１乃至１９のいずれかに記載の表示装置。
【請求項２１】
前記画素セルは、各々、シアン系色、イエロー系色、マゼンタ系色の３系色のうち、いずれかの色を有する前記カラーフィルタを備え、白色を有する前記微粒子が個別に封入され、前記３系色を一組として前記表示パネルの一表示画素を構成することを特徴とする請求項１乃至１９のいずれかに記載の表示装置。
【請求項２２】
対向して配置された一対の基板間に規定された画素空間に、帯電性の微粒子を封入した複数の画素セルを、２次元配列した表示パネルを有する表示装置の表示駆動方法であって、
前記一対の基板は、視野側に配置され、透明な基板材料により形成された第１の基板と、背面側に配置された第２の基板と、からなり、
前記画素セルは、前記画素空間に面して配置された、所定の色を有するカラーフィルタと、少なくとも前記第１の基板を介して前記画素空間に入射する光が前記カラーフィルタに至る光路を遮断する位置に配置された、透明な導電性材料により形成された第１の電極と、前記光路を遮断しない位置に配置された第２の電極と、を備え、
前記画素セルごとに、
前記第１の電極及び前記第２の電極間に電圧を印加して、第１の電界を形成することにより、前記微粒子を前記第１の電極側に移動、付着させて、前記微粒子に設定された色を、前記第１の基板を介して視野側から視認可能とする第１の色表示動作と、
前記第１の電極及び前記第２の電極間に電圧を印加して、第２の電界を形成することにより、前記微粒子を前記第２の電極側に移動、付着させて、前記カラーフィルタに設定された色を、前記第１の基板を介して視野側から視認可能とする第２の色表示動作と、
を選択的に実行することを特徴とする表示装置の表示駆動方法。
【請求項２３】
前記第１の色表示動作は、前記画素セル内に設けられた光学部材を介して、前記第１の電極側に付着した前記微粒子に設定された色を反射させて、前記第１の基板を介して視野側から視認可能とし、
前記第２の色表示動作は、前記画素セル内に設けられた光学部材を介して、前記一対の基板に対して垂直に配置された前記カラーフィルタに設定された色を反射させて、前記第１の基板を介して視野側から視認可能とすることを特徴とする請求項２２記載の表示装置の表示駆動方法。
【請求項２４】
前記画素セルは、各々、赤色、緑色、青色の３系色のうち、いずれかの色を有する前記カラーフィルタを備えるとともに、黒色を有する前記微粒子が封入され、
前記３系色を一組とする、加法混色により表現される色を、前記表示パネルの各表示画素の表示色に設定することを特徴とする請求項２２又は２３記載の表示装置の表示駆動方法。
【請求項２５】
前記画素セルは、各々、シアン系色、イエロー系色、マゼンタ系色の３系色のうち、いずれかの色を有する前記カラーフィルタを備えるとともに、白色を有する前記微粒子が封入され、
前記３系色を一組とする、減法混色により表現される色を、前記表示パネルの各表示画素の表示色に設定することを特徴とする請求項２２又は２３記載の表示装置の表示駆動方法。
【発明の詳細な説明】
【技術分野】
【０００１】
本発明は、表示装置及びその表示駆動方法に関し、特に、電子ペーパー等に適用が可能であって、表示状態を固定的に保持することができるとともに、薄型軽量で可撓性にも優れた表示装置及びその表示駆動方法に関する。
【背景技術】
【０００２】
近年、新聞や書籍等の紙媒体に代わる情報伝達媒体として、電子ペーパーと呼ばれる表示デバイスの研究開発が盛んに行われている。このような表示デバイスにおいては、軽量薄型で、一旦表示された画像情報を電源やバックライトを必要とすることなく保持して表示することができ、かつ、柔軟性に優れ、表示パネルを屈曲させることができるうえ、目への刺激が少なく（目に優しく疲れにくく）、表示された文字情報が読みやすい等の、ＣＲＴや液晶表示装置等の既存の表示デバイスでは実現不可能な種々の特徴が注目されている。
【０００３】
ここで、電子ペーパーへの適用が検討されている表示デバイスとしては、例えば、溶媒中に表示媒体としての帯電粒子を含有し、表示データに応じて電界を印加することにより溶媒中の帯電粒子を移動させる電気泳動方式のものと、溶媒を用いず基板間に形成された空間（単位セル）に表示媒体としてのトナー（帯電粒子）を封入し、表示データに応じて電界を印加することによりトナーを移動させるトナー方式のものが知られている。
【０００４】
以下、従来技術に係る表示デバイスについて、簡単に説明する。
図１９は、従来技術における電気泳動方式を適用した表示デバイスの一例を示す概略構成図であり、図２０は、従来技術におけるトナー方式を適用した表示デバイスの一例を示す概略構成図である。
図１９に示すように、電気泳動方式を適用した表示デバイス１００は、概略、対向して配置された視野側の透明基板１０１及び背面側の基板１０２と、該視野側の透明基板１０１及び背面側の基板１０２の各対向面側に設けられた電極１０３、１０４間に、白色及び黒色の帯電粒子１０６、１０７を混入した溶媒１０５を封入したマイクロカプセル１１０を配列した表示層と、視野側の透明基板１０１と電極１０３間（透明基板１０１の視野側であってもよい）に設けられたカラーフィルタ１２０と、を備えた構成を有している。ここで、白色及び黒色の帯電粒子１０６、１０７は、各々異なる極性に帯電している。
【０００５】
このような表示デバイス１００においては、上記一対の基板１０１、１０２間に、電圧の印加方向を切り換え可能な電源１３０から直流電圧を印加して電界を形成することにより、各マイクロカプセル１１０中の白色及び黒色の帯電粒子１０６、１０７が、各々逆極性の電圧が印加された電極１０３、１０４方向に移動し集中する。これにより、視野側の透明基板１０１（電極１０３）に移動した白色又は黒色の帯電粒子１０６、１０７に、視野側から入射した光が反射して、当該マイクロカプセル１１０に対応して配置されたカラーフィルタ１２０を透過することにより、色表示（白色の帯電粒子１０６が電極１０３側に集中したマイクロカプセル１１０の場合）、又は、黒表示（黒色の帯電粒子１０７が電極１０３側に集中したマイクロカプセル１１０の場合）として視認され、カラー表示が行われる。
なお、このような電気泳動方式を適用した表示デバイスについては、例えば、特許文献１等に詳しく記載されている。
【０００６】
一方、図２０に示すように、トナー方式を適用した表示デバイス２００は、概略、対向して配置された視野側の透明基板２０１及び背面側の基板２０２と、該視野側の透明基板２０１及び背面側の基板２０２、これらの基板間に設けられた格子状の隔壁（スペーサ）２０３とにより形成される空間に白色及び黒色の帯電粒子２０６、２０７を封入した画素セル（単位セル）２１０と、画素セル２１０ごとに視野側の透明基板２０１及び背面側の基板２０２の各対向面側に設けられた電極２０４、２０５と、を備えた構成を有している。ここで、白色及び黒色の帯電粒子２０６、２０７は、各々異なる極性に帯電している。
【０００７】
このような表示デバイス２００においても、上記一対の基板２０１、２０２間に電源２２０から直流電圧を印加して電界を形成することにより、各画素セル２１０内の白色及び黒色の帯電粒子２０６、２０７が、各々逆極性の電圧が印加された電極２０４、２０５方向に移動して付着し、視野側の電極２０４に付着した白色又は黒色の帯電粒子２０６、２０７に、視野側から入射した光が反射することにより、白表示（白色の帯電粒子２０６が電極２０４側に付着した画素セル２１０の場合）、又は、黒表示（黒色の帯電粒子２０７が電極２０４側に付着した画素セル２１０の場合）として視認され、モノクロ表示が行われる。
なお、このようなトナー方式を適用した表示デバイスについては、例えば、特許文献２等に詳しく記載されている。
【０００８】
【特許文献１】特開２００３−１６１８２２号公報  （第４頁〜第５頁、図６）
【特許文献２】特開２００２−１９６７３９号公報  （第６頁〜第７頁、図２、図４）
【発明の開示】
【発明が解決しようとする課題】
【０００９】
上述したような表示装置においては、以下に示すような課題を有していた。
すなわち、上述したような電気泳動方式を適用した表示デバイスにおいては、溶媒中に表示媒体である帯電粒子が封入された構成を有しているので、電極間に電界を形成していずれかの電極側に帯電粒子を移動させた場合、その表示状態を比較的良好に保持することができるものの、帯電粒子の各電極方向への移動速度（応答時間）が比較的遅いため、迅速に画像情報の書き換えを行うことができないという問題を有していた。
【００１０】
これに対して、トナー方式の表示デバイスにおいては、溶媒を用いていないので、比較的速い応答時間を実現することができるという利点を有している。しかしながら、トナー方式を適用した表示デバイスにおいては、カラー表示を良好に実現するための有効な構成が未だ開発されておらず、図２０に示したようなモノクロ表示しか実行できなかった。
【００１１】
ここで、トナー方式の表示デバイスにおいて、カラー表示を実現する場合、例えば、図２０に示したようなモノクロ表示が可能な表示パネル２００の視野側の透明基板２０１上に、各画素セル２１０に対応して色が配列されたカラーフィルタを配置した構成を考えることができる。しかしながら、電子ペーパーに適用される表示デバイスは、上述したように、電源やバックライトを用いることなく画像情報を表示できることが基本的な構成として要求されるため、反射型の表示方式が採用されている。そのため、表示パネルの視野側にカラーフィルタを配置した場合、カラーフィルタにより反射光の強度が減衰してしまい、画像表示が暗く視認されるという問題点を有していた。
【００１２】
そこで、本発明は、上記問題点に鑑み、電子ペーパーに適用可能であって、比較的高速な画像表示を実現しつつ、明るいカラー表示を実現することができる反射型の表示方式を採用した表示装置及びその表示駆動方法を提供することを目的とする。
【課題を解決するための手段】
【００１３】
請求項１記載の発明は、対向して配置された一対の基板間に規定された画素空間に、帯電性の微粒子を封入した複数の画素セルを、２次元配列した表示パネルを備え、各画素セル内に設けられた一対の電極間に電界を形成し、該電界の極性に応じて前記微粒子を前記一対の電極の一方及び他方の電極の何れか側に移動、付着させて所望の表示状態を設定し、画像情報を表示する表示装置において、前記一対の基板は、視野側に配置され、透明な基板材料により形成された第１の基板と、背面側に配置された第２の基板と、からなり、前記画素セルは、前記画素空間に面して配置された、所定の色を有するカラーフィルタを備え、前記一対の電極は、少なくとも前記第１の基板を介して前記画素空間に入射する光が前記カラーフィルタに至る光路を遮断する位置に配置された、透明な導電性材料により形成された第１の電極と、前記光路を遮断しない位置に配置された第２の電極と、からなることを特徴とする。
【００１４】
請求項２記載の発明は、請求項１記載の表示装置において、前記画素セルは、各々、前記光を反射させて前記カラーフィルタに到達させる光学部材を備えていることを特徴とする。
請求項３記載の発明は、請求項２記載の表示装置において、前記光学部材は、前記第１の基板に密着して設けられるとともに、前記画素空間に突出する一対の傾斜面を有するプリズムであることを特徴とする。
【００１５】
請求項４記載の発明は、請求項３記載の表示装置において、前記画素セルは、前記光学部材として、反射膜をさらに備えていることを特徴とする。
請求項５記載の発明は、請求項１乃至４のいずれかに記載の表示装置において、前記カラーフィルタは、前記一対の基板に対して垂直に配置されていることを特徴とする。
請求項６記載の発明は、請求項５記載の表示装置において、前記カラーフィルタは、前記画素セルの前記画素空間相互の境界となる隔壁を構成することを特徴とする。
【００１６】
請求項７記載の発明は、請求項５又は６記載の表示装置において、前記隔壁は、異なる色を有する前記カラーフィルタ同士が接合された構成を有し、前記画素セルごとに同一の色を有するカラーフィルタが対向するように構成されていることを特徴とする。
請求項８記載の発明は、請求項５又は６記載の表示装置において、前記隔壁は、所定の色を有する前記カラーフィルタ単体で構成され、前記画素セルごとに異なる色を有するカラーフィルタが対向するように構成されていることを特徴とする。
【００１７】
請求項９記載の発明は、請求項６乃至８のいずれかに記載の表示装置において、前記隔壁は、前記第１の基板に密着して設けられ、前記第２の基板との間に間隙を有していることを特徴とする。
請求項１０記載の発明は、請求項３乃至９のいずれかに記載の表示装置において、前記第１の電極は、前記プリズムの前記一対の傾斜面に設けられていることを特徴とする。
請求項１１記載の発明は、請求項３乃至９のいずれかに記載の表示装置において、前記第１の電極は、前記プリズムの前記一対の傾斜面のうちの、いずれか一方に設けられていることを特徴とする。
【００１８】
請求項１２記載の発明は、請求項３乃至９のいずれかに記載の表示装置において、前記第１の電極は、前記カラーフィルタ表面に設けられていることを特徴とする。
請求項１３記載の発明は、請求項１記載の表示装置において、前記第１の電極は、前記第１の基板表面に設けられ、前記カラーフィルタは、前記第２の基板表面に配置されていることを特徴とする。
請求項１４記載の発明は、請求項１０乃至１３のいずれかに記載の表示装置において、前記第２の電極は、前記第２の基板表面に設けられていることを特徴とする。
【００１９】
請求項１５記載の発明は、請求項１０乃至１３のいずれかに記載の表示装置において、前記第２の電極は、前記画素セルの前記画素空間相互の境界領域に設けられていることを特徴とする。
請求項１６記載の発明は、請求項１５記載の表示装置において、前記第２の電極は、前記第１の基板に密着して設けられ、前記第２の基板との間に間隙を有する前記隔壁の端面に設けられていることを特徴とする。
【００２０】
請求項１７記載の発明は、請求項１１記載の表示装置において、前記第２の電極は、前記プリズムの前記一対の傾斜面のうちの、他方の傾斜面に設けられていることを特徴とする。
請求項１８記載の発明は、請求項１１又は１２記載の表示装置において、前記反射膜は、前記プリズムの前記一対の傾斜面のうちの、他方の傾斜面に設けられていることを特徴とする。
請求項１９記載の発明は、請求項１１又は１２記載の表示装置において、前記反射膜は、前記第２の基板表面に設けられていることを特徴とする。
【００２１】
請求項２０記載の発明は、請求項１乃至１９のいずれかに記載の表示装置において、前記画素セルは、各々、赤色、緑色、青色の３系色のうち、いずれかの色を有する前記カラーフィルタを備え、黒色を有する前記微粒子が個別に封入され、前記３系色を一組として前記表示パネルの一表示画素を構成することを特徴とする。
請求項２１記載の発明は、請求項１乃至１９のいずれかに記載の表示装置において、前記画素セルは、各々、シアン系色、イエロー系色、マゼンタ系色の３系色のうち、いずれかの色を有する前記カラーフィルタを備え、白色を有する前記微粒子が個別に封入され、前記３系色を一組として前記表示パネルの一表示画素を構成することを特徴とする。
【００２２】
請求項２２記載の発明は、対向して配置された一対の基板間に規定された画素空間に、帯電性の微粒子を封入した複数の画素セルを、２次元配列した表示パネルを有する表示装置の表示駆動方法であって、前記一対の基板は、視野側に配置され、透明な基板材料により形成された第１の基板と、背面側に配置された第２の基板と、からなり、前記画素セルは、前記画素空間に面して配置された、所定の色を有するカラーフィルタと、少なくとも前記第１の基板を介して前記画素空間に入射する光が前記カラーフィルタに至る光路を遮断する位置に配置された、透明な導電性材料により形成された第１の電極と、前記光路を遮断しない位置に配置された第２の電極と、を備え、前記画素セルごとに、前記第１の電極及び前記第２の電極間に電圧を印加して、第１の電界を形成することにより、前記微粒子を前記第１の電極側に移動、付着させて、前記微粒子に設定された色を、前記第１の基板を介して視野側から視認可能とする第１の色表示動作と、前記第１の電極及び前記第２の電極間に電圧を印加して、第２の電界を形成することにより、前記微粒子を前記第２の電極側に移動、付着させて、前記カラーフィルタに設定された色を、前記第１の基板を介して視野側から視認可能とする第２の色表示動作と、を選択的に実行することを特徴とする。
【００２３】
請求項２３記載の発明は、請求項２２記載の表示装置の表示駆動方法において、前記第１の色表示動作は、前記画素セル内に設けられた光学部材を介して、前記第１の電極側に付着した前記微粒子に設定された色を反射させて、前記第１の基板を介して視野側から視認可能とし、前記第２の色表示動作は、前記画素セル内に設けられた光学部材を介して、前記一対の基板に対して垂直に配置された前記カラーフィルタに設定された色を反射させて、前記第１の基板を介して視野側から視認可能とすることを特徴とする。
【００２４】
請求項２４記載の発明は、請求項２２又は２３記載の表示装置の表示駆動方法において、前記画素セルは、各々、赤色、緑色、青色の３系色のうち、いずれかの色を有する前記カラーフィルタを備えるとともに、黒色を有する前記微粒子が封入され、前記３系色を一組とする、加法混色により表現される色を、前記表示パネルの各表示画素の表示色に設定することを特徴とする。
【００２５】
請求項２５記載の発明は、請求項２２又は２３記載の表示装置の表示駆動方法において、前記画素セルは、各々、シアン系色、イエロー系色、マゼンタ系色の３系色のうち、いずれかの色を有する前記カラーフィルタを備えるとともに、白色を有する前記微粒子が封入され、前記３系色を一組とする、減法混色により表現される色を、前記表示パネルの各表示画素の表示色に設定することを特徴とする。
【発明の効果】
【００２６】
本発明に係る表示装置及びその表示駆動方法は、視野側及び背面側に各々配置された、透明な第１の基板（上部基板）及び第２の基板（下部基板）からなる対向する基板間に形成された画素空間に、帯電粒子（帯電性の微粒子）を封入した画素セルを２次元配列した表示パネルを備え、各画素セル内に設けられた一対の電極間に電界を形成して、帯電粒子をいずれかの電極方向に移動、付着させることにより、各画素セルに入射する外光の反射状態を制御して所望の画像情報を表示する反射型の表示装置（表示デバイス）において、各画素セルは、少なくとも、画素空間に面する位置に（例えば、隔壁として、あるいは、第２の基板表面に）配置された、赤、緑、青（もしくは、シアン、イエロー、マゼンタ）からなる３系統の色（３原色）のうち、いずれかを有するカラーフィルタと、少なくとも第１の基板を介して画素空間に入射する光（外光）カラーフィルタに至る光路（又は、画素セル内部のカラーフィルタで反射して出射する光の光路）を遮断する位置に配置された、透明な第１の電極と、上記光路を遮断しない位置に配置された第２の電極と、を有し、さらに、黒色（カラーフィルタが上記シアン、イエロー、マゼンタの場合には白色）の帯電粒子が封入された構成を有している。
【００２７】
ここで、カラーフィルタは、第２の基板表面に設けられ、第１の基板を介して画素空間に入射する光が、カラーフィルタに直接照射されるものであってもよいし、カラーフィルタは、第１及び第２の基板に対して垂直に配置され、第１の基板を介して画素空間に入射する光が、三角プリズムや反射膜等の光学部材を介して、カラーフィルタに間接的に照射されるものであってもよい。
【００２８】
これにより、電極間に電圧を印加して画素空間に電界を形成することにより、帯電粒子が反対極性を有する電極側に移動して付着する。帯電粒子が第１の電極側に付着した場合（第１の電界を形成した場合）には、上記画素空間に入射する光が帯電粒子に照射されることになるので、帯電粒子の色成分（黒色、又は、白色）を有する反射光が視野側において表示色として視認されて、黒表示状態（又は、白表示状態）を実現することができる（第１の色表示動作）。
【００２９】
一方、帯電粒子が第２の電極側に付着した場合（第２の電界を形成した場合）には、上記画素空間に入射する光がカラーフィルタに照射されることになるので、当該カラーフィルタの色成分（赤、緑、青、又は、シアン、イエロー、マゼンタのいずれか）を有する反射光が視野側において表示色として視認されて、色表示状態を実現することができる（第２の色表示動作）。
【００３０】
したがって、上記赤、緑、青（又は、シアン、イエロー、マゼンタ）の３色のカラーフィルタを備えた個別（３つ）の画素セルを一組として、表示パネルの一表示画素を構成し、各画素セルにおける表示色（黒又は白表示、及び、色表示状態）を適宜制御することにより、加法混色（又は、減法混色）に基づいて、任意の色表示（カラー表示）を実現することができる。
【００３１】
特に、本発明に係る表示装置においては、カラーフィルタ及び帯電粒子に設定された色に基づく表示色（カラーフィルタの赤、緑、青の単色又はその混色、もしくは、帯電粒子の黒又は白色）を、透明な第１の基板を介して直接、もしくは、プリズム等の光学部材を介して視認することができるので、表示パネルの視野側にカラーフィルタを設けて表示画素（画素セル）を視認する構成に比較して、各表示色を明るく認識することができ、反射率の高いカラー表示装置を実現することができる。また、カラーフィルタを基板に対して垂直に配置した構造を適用することができるので、表示パネル（基板）と並行にカラーフィルタを設ける構成に比較して、表示パネルを一層薄型化することができる。
【００３２】
ここで、上記カラーフィルタを基板に垂直に配置する構成においては、画素セル（画素空間）相互の境界となる隔壁を、カラーフィルタにより構成した構造を適用することができるので、表示パネルの大型化や複雑化を抑制することができる。また、カラーフィルタを基板に垂直に配置する構成においては、上記プリズム等の光学部材により反射された光が照射される範囲（領域）にのみ、カラーフィルタ（隔壁）を設けた構成を適用することができる。
【００３３】
さらに、本発明に係る表示装置においては、画素セルに設けられたプリズムの他方の傾斜面のみに反射膜を設けた構成、あるいは、プリズムに対向する第２の基板表面に反射膜を設けた構成を適用することができるので、第１の基板側（視野側）から画素空間に入射する光の入射角にかかわらず、プリズムの他方の傾斜面、又は、第２の基板面で光を全反射させることができ、視野角を広げて視認性を向上させることができるとともに、光の利用効率（反射率）を向上させて、一層明るいカラー表示を実現することができる。
【００３４】
なお、本発明に係る表示装置に適用可能な第１及び第２の電極の配置形態としては、第１の電極を、第１の基板表面に設けた構成や、プリズムの一対の傾斜面のうちの、少なくとも一方に設けた構成、カラーフィルタ表面に設けた構成等を適用するものであってもよく、また、第２の電極を、第２の基板表面に設けた構成や、画素セル（画素空間）相互の境界領域に設けた構成、プリズムの一対の傾斜面の一方に設けた構成等を適用するものであってもよい。
【発明を実施するための最良の形態】
【００３５】
以下、本発明に係る表示装置及びその表示駆動方法について、実施の形態を示して詳しく説明する。
まず、本発明に係る表示装置の概略構成について説明する。
図１は、本発明に係る表示装置の概略構成を示す概念図である。
図１に示すように、本発明に係る表示装置は、例えば、行方向に配設された複数の電圧印加ラインＳＬ及び列方向に配設された複数の電圧印加ラインＤＬとの各交点に、表示画素を構成する複数の画素セル（少なくとも、各電圧印加ラインＳＬ及び電圧印加ラインＤＬに接続された一対の電極と、画素空間に封入された帯電粒子からなる画素構成；詳しくは、後述する）ＰＥＣが２次元配列された表示パネル１０と、行方向に配設された複数の電圧印加ラインＳＬに接続されたロードライバＤＲｓと、列方向に配設された複数の電圧印加ラインＤＬに接続されたカラムドライバＤＲｄと、を備え、ロードライバＤＲｓ及びカラムドライバＤＲｄにより、各画素セルに設けられた一対の電極間（画素空間）に正極性又は負極性の電界が印加されるように、行、列方向の各電圧印加ラインＳＬ、ＤＬに表示データ（垂直制御信号、水平制御信号）に応じた所定の信号電圧を印加するように構成されている。
【００３６】
次いで、本発明に係る表示装置の特徴である表示パネルの構成について具体的に説明する。
＜第１の実施形態＞
図２は、本発明に係る表示装置に適用可能な表示パネルの第１の実施形態を示す概略構成図である。
【００３７】
図２（ａ）、（ｂ）に示すように、本実施形態に係る表示パネル１０Ａを構成する各画素セルＰＥＣは、例えば、対向して配置された上部基板（第１の基板）１１及び下部基板（第２の基板）１２間に、上記表示画素の配列形態（図ではマトリクス状の配列を示す）に応じて、行方向に形成された複数の隔壁１３及び列方向に形成された複数のカラーフィルタ壁１４により、相互に隔離された画素空間ＳＣ（セル構造）を有する画素構造を有している。
ここで、上部基板１１は、視野側に配置された透明な絶縁性基板であって、下部基板１２は、背面側（視野側の反対側）に配置された絶縁性基板である。
【００３８】
また、各列方向に形成されるカラーフィルタ壁１４は、各々、赤（Ｒ）、緑（Ｇ）、青（Ｂ）の各色のカラーフィルタ１４Ｒ、１４Ｇ、１４Ｂから選択された２色のカラーフィルタの背面同士を接合した薄板（又は、薄膜）構造（すなわち、赤色のカラーフィルタ１４Ｒと緑色のカラーフィルタ１４Ｇ、緑色のカラーフィルタ１４Ｇと青色のカラーフィルタ１４Ｂ、赤色のカラーフィルタ１４Ｒと青色のカラーフィルタ１４Ｂのいずれかの組み合わせの接合構造）を有し、各画素セルＰＥＣごとに、画素空間ＳＣ（又は、後述する三角プリズム１５）を介して同一の色のカラーフィルタ同士が対向するように配置されている。
【００３９】
これにより、赤色のカラーフィルタ１４Ｒ同士が対向する画素セルＰＥＣと、緑色のカラーフィルタ１４Ｇ同士が対向する画素セルＰＥＣと、青色のカラーフィルタ１４Ｂ同士が対向する画素セルＰＥＣが形成される。これらの３色のカラーフィルタからなる各画素セルＰＥＣは、図２（ａ）、（ｂ）に示すように、異なる色の画素セルＰＥＣ同士が隣り合うように配列され、赤、緑、青の各色の３つの画素セルＰＥＣを１組として、カラー表示を行うための一表示画素が構成されている。
【００４０】
また、各画素セルＰＥＣは、上部基板１１の背面側（画素空間ＳＣ側）に底面が接合され、頂辺が画素空間ＳＣに突出した三角プリズム（光学部材）１５と、該三角プリズム１５の傾斜面に密着形成された透明電極（第１の電極）１６ａと、該透明電極１６ａを被覆するように積層形成された透明な保護絶縁膜１８ａと、下部基板１２の視野側（画素空間ＳＣ側）に、各画素セルＰＥＣの平面的な広がりに対応する領域（例えば、画素セルＰＥＣの平面形状と同等の広がりを有する領域）に形成された対向電極（第２の電極）１７ａと、該対向電極１７ａを被覆するように積層形成された保護絶縁膜１９ａと、該上部基板１１、下部基板１２、隔壁１３及びカラーフィルタ壁１４により形成された画素空間ＳＣ内に封入された黒色の帯電粒子（群）ＰＬＢ（帯電性の微粒子）と、を備えた構成を有している。
【００４１】
また、少なくとも、各画素セルＰＥＣ相互を隔離するカラーフィルタ壁１４と上部基板１１との間、もしくは、隔壁１３及びカラーフィルタ壁１４と上部基板１１との間には、黒色の薄膜層２０が設けられている。すなわち、表示パネル１０Ａは、その表示領域の全域にわたり、各表示画素（画素セル）間の境界領域に縦縞状（列方向）のブラックストライプ、もしくは、格子状のブラックマトリクスが形成された構成を有している。
【００４２】
なお、上部基板１１側に設けられる透明電極１６ａは、例えば、表示パネル１０Ａの行方向（図２（ａ）、（ｂ）の左右方向）に配列された各画素セルＰＥＣ間で連続して一体的に形成され、図１に示した電圧印加ラインＳＬとして、又は、図示を省略した電圧印加ラインＳＬを介して、ロードライバＤＲｓに接続され、また、下部基板１２側に設けられる対向電極１７ａは、例えば、表示パネル１０Ａの列方向（図２（ａ）の上下方向）に配列された各画素セルＰＥＣ間で連続して一体的に形成され、図１に示した電圧印加ラインＤＬとして、又は、図示を省略した電圧印加ラインＤＬを介して、カラムドライバＤＲｄに接続される。
【００４３】
また、各画素セルＰＥＣごとに、透明電極１６ａ及び対向電極１７ａを被覆するように形成された保護絶縁膜１８ａ、１９ａは、透明電極１６ａ及び対向電極１７ａに直接帯電粒子ＰＬＢが付着することを防止して、該電極材料の劣化や帯電粒子ＰＬＢの移動特性の劣化等を抑制する役割を有している。
【００４４】
次いで、上述した構成を有する表示装置の表示駆動動作（画素セルの駆動方法）について、図面を参照して説明する。
図３は、本実施形態に係る表示装置に適用される画素セルの駆動状態を示す概念図であり、図４は、本実施形態に係る表示装置（表示画素）における表示色を説明するための加法混色を示す図である。ここでは、説明の都合上、便宜的に各画素セルに封入された帯電粒子が、正（＋）極性に帯電している場合を示すが、負（−）極性に帯電している場合は、以下の説明とは逆の表示状態を示す。
【００４５】
上述したような構成を有する表示装置においては、表示パネル１０Ａを構成する各画素セルＰＥＣに対して、ロードライバＤＲｓ及びカラムドライバＤＲｄから各行、各列の電圧印加ラインＳＬ、ＤＬを介して、表示データに基づく信号電圧が印加されて、一対の電極（透明電極１６ａ及び対向電極１７ａ）間に所定の極性を有する電界が形成される。これにより、各画素セルＰＥＣに封入された帯電粒子ＰＬＢの帯電極性と、上記電界の極性に応じて、帯電粒子ＰＬＢが透明電極１６ａ側又は対向電極１７ａのいずれかに吸着されるように移動する。以下、具体的に説明する。
【００４６】
上述した表示パネル１０Ａにおいて、図１に示したロードライバＤＲｓ、カラムドライバＤＲｄから、透明電極１６ａに対して正（＋）の電圧を印加し、対向電極１７ａに対して負（−）の電圧を印加すると、図３（ａ）に示すように、画素セルＰＥＣ内に形成された電界（第２の電界）により、帯電粒子ＰＬＢは、対向電極１７ａ方向に移動して該電極１７ａ表面（保護絶縁膜１９ａ表面）に付着する。これにより、画素空間ＳＣに突出する三角プリズム１５の各傾斜面を介して光が良好に透過するので、視野側から上部基板１１を介して画素セルＰＥＣに入射した外光は、三角プリズム１５の一方の傾斜面で内部反射（全反射）して他方の傾斜面を介して、透明電極１６ａ及び保護絶縁膜１８ａを透過して画素セルＰＥＣ（画素空間ＳＣ）を構成するカラーフィルタ壁１４（カラーフィルタ１４Ｒ、１４Ｇ、１４Ｂのいずれか）に照射される（図示の都合上、入射光路を省略するが、後述する放射光路の略逆方向となる）。
【００４７】
カラーフィルタ壁１４に照射された外光は、カラーフィルタ壁１４において反射し、各カラーフィルタ１４Ｒ、１４Ｇ、１４Ｂの色成分を有する表示光として、保護絶縁膜１８ａ及び透明電極１６ａを透過して三角プリズム１５の他方の傾斜面から内部に入射し、一方の傾斜面で内部反射（全反射）して、上部基板１１を介して視野側に放射される（図３（ａ）中、矢印で示した放射光路参照）。したがって、視野側からは、各画素セルＰＥＣのカラーフィルタ壁１４を構成するカラーフィルタの色が認識されることになり、当該画素セルＰＥＣは、赤色、緑色、青色のいずれかの色を表示する状態（色表示状態）を示す（色表示動作；第２の色表示動作）。
【００４８】
一方、ロードライバＤＲｓ、カラムドライバＤＲｄから、透明電極１６ａに対して負（−）の電圧を印加し、対向電極１７ａに対して正（＋）の電圧を印加すると、図３（ｂ）に示すように、画素セルＰＥＣ内に形成された電界（第１の電界）により、帯電粒子ＰＬＢは、透明電極１６ａ方向に移動して該電極１６ａ表面（保護絶縁膜１８ａ表面）に付着する。これにより、画素空間ＳＣに突出する三角プリズム１５の各傾斜面における光の透過が黒色を有する帯電粒子ＰＬＢにより遮断されるので、視野側から上部基板１１を介して画素セルＰＥＣに入射した外光は、三角プリズム１５の一方の傾斜面で内部反射（全反射）して他方の傾斜面の透明電極１６ａ表面に付着した帯電粒子ＰＬＢに照射される（図示の都合上、光路を省略するが、後述する放射光路の略逆方向となる）。
【００４９】
帯電粒子ＰＬＢに照射された外光は、該帯電粒子ＰＬＢの色成分を有する表示光として、三角プリズム１５の他方の傾斜面から内部に入射し、一方の傾斜面で内部反射（全反射）して、上部基板１１を介して視野側に放射される（図３（ｂ）中、矢印で示した放射光路参照）。したがって、視野側からは、帯電粒子ＰＬＢの色が認識されることになり、当該画素セルＰＥＣは、黒表示状態を示す（黒表示動作；第２の色表示動作）。
【００５０】
このような各画素セルにおける色表示及び黒表示状態を適宜設定することにより、３色の画素セル一組で構成される各表示画素における表示色を任意に設定することができる。ここで、上述したように、本実施形態に係る表示装置においては、表示画素を構成する各画素セルＰＥＣ内のカラーフィルタ壁１４を構成するカラーフィルタ１４Ｒ、１４Ｇ、１４Ｂが、赤（Ｒ）、緑（Ｇ）、青（Ｂ）の３原色に設定され、これらのカラーフィルタ及び帯電粒子ＰＬＢからの反射光（表示光）を直接視認することにより色が認識される表示形式を有しているので、周知の加法混色に基づく各画素セルの色の重ね合わせ（３色の混合）及びその混合比率により、図４に示すように、白色を含むカラー表示に適用可能な基本的な表示色が実現される。なお、図４において、Ｒは赤色、Ｇは緑色、Ｂは青色であり、ＲＧは赤と緑の加法混色であるイエロー系色、ＧＢは緑と青の加法混色であるシアン系色、ＲＢは赤と青の加法混色であるマゼンタ系色、ＷＴは赤、緑、青の加法混色である白である。
【００５１】
したがって、本実施形態に係る表示装置及びその表示駆動方法によれば、表示画素を構成する各画素セルの透明電極及び対向電極に印加する電圧に応じて、黒色を有する帯電粒子をいずれかの電極側に吸着させることにより、設定される表示色（カラーフィルタの赤、緑、青の単色又はその加法混色、もしくは、帯電粒子の黒色）を透明な上部基板を通して直接視認することができるので、従来技術に示したような視野側の基板（上部基板）上にカラーフィルタを設けて表示画素（画素セル）を視認する構成に比較して、各表示色を明るく認識することができ、反射率の高いカラー表示装置を実現することができる。
【００５２】
また、カラーフィルタを基板に対して垂直に配置し、かつ、各画素セル間の境界となる隔壁と兼用した構造を有しているので、基板と並行にカラーフィルタを設ける構成に比較して、表示パネルを一層薄型化することができる。
さらに、従来技術に示した電気泳動方式の表示デバイスに比較して、帯電粒子の移動速度（表示応答時間）を速くすることができるので、画像表示を迅速に書き換えることができる電子ペーパーを実現することができる。
【００５３】
次に、上述した第１の実施形態に係る表示パネルの他の構成例について説明する。
図５は、本実施形態に係る表示パネルの他の構成例を示す概略構成図である。ここで、上述した表示パネルと同等の構成については、同等又は同一の符号を付してその説明を簡略化又は省略する。
【００５４】
図５（ａ）に示すように、本実施形態の他の構成例に係る表示パネル１０Ａａは、図２に示した構成において、各画素セルＰＥＣの画素空間ＳＣを規定するカラーフィルタ壁１４ａが、上部基板１１側から延伸し、その端部と下部基板１２との間に間隙を有するように構成されている。すなわち、カラーフィルタ壁１４ａは、上部基板１１側から画素空間ＳＣに突出して設けられた三角プリズム１５の頂辺の位置に対応するように、上部基板１１側にのみ接合された構成を有している。
【００５５】
上述したように、本実施形態に係る表示パネル１０Ａにおいて、色表示状態の際に、表示色として寄与し、色が認識されるカラーフィルタ壁１４（カラーフィルタ１４Ｒ、１４Ｇ、１４Ｂ）の領域は、図３（ａ）に示した放射光路を参照すると、画素空間ＳＣに突出する三角プリズム１５の略頂辺の位置に対応する高さ（図面上下方向の長さ）までの範囲となる。したがって、図２に示した画素セルＰＥＣのカラーフィルタ壁１４のうち、下部基板１２側の領域を除いた（除去した）構成（図５（ａ））によっても、上述した実施形態と同様に、反射率が高く、表示応答特性に優れた薄型のカラー表示装置を実現することができる。
【００５６】
なお、図５（ａ）に示したように、カラーフィルタ壁１４の下部基板１２側を除いた構成を適用した場合であっても、図２（ａ）に示したように、カラーフィルタ壁１４に直交し、かつ、上部基板１１と下部基板１２間を支持するように隔壁１３が設けられているので、上部基板１１と下部基板１２間の寸法が著しく変化することはない。また、隣接する画素セルＰＥＣ間で画素空間ＳＣ相互が連続する構成となるため、各画素セルＰＥＣに封入された帯電粒子ＰＬＢが画素セルＰＥＣ間の境界（カラーフィルタ壁１４）を越えて移動することが考えられるが、上述したロードライバＤＲｓとカラムドライバＤＲｄにより、各画素セルごとに異なるタイミングで信号電圧を印加して電界を形成し、帯電粒子ＰＬＢを移動させる駆動方法を適用することにより、隣接する画素セルＰＥＣ間での帯電粒子ＰＬＢの移動を防止して、良好なカラー表示を実現することができる。
【００５７】
また、図５（ｂ）に示すように、本実施形態のさらに他の構成例に係る表示パネル１０Ａｂは、上述した構成例に係る表示パネル１０Ａａにおいて、カラーフィルタ壁１４ａの端部と下部基板１２との間の間隙に、絶縁性のスペーサ２１を介挿した構成を有している。すなわち、画素セルＰＥＣは、カラーフィルタ壁１４ｂとスペーサ２１、並びに、隔壁１３とにより隣接する画素セルと隔離された画素空間ＳＣを有するとともに、上部基板１１と下部基板１２は、カラーフィルタ壁１４ｂとスペーサ２１からなる支持部、並びに、隔壁１３とにより、上部基板１１と下部基板１２間の寸法が一定に保持された構成を有している。
【００５８】
これにより、上述した構成例（図５（ａ））と同様に、反射率が高く、表示応答特性に優れたカラー表示を実現することができるとともに、各画素セルが隔離されているので、隣接する画素セル間で帯電粒子が移動することがなく、複数の画素を同時に駆動する駆動方法を適用することができる。
なお、図５（ａ）、（ｂ）に示した表示パネル（画素セル）の構成は、後述する第２、第３、第５の各実施形態においても良好に適用することができる。
【００５９】
＜第２の実施形態＞
次に、本発明に係る表示装置の第２の実施形態について説明する。
図６は、本発明に係る表示装置に適用可能な表示パネルの第２の実施形態を示す概略構成図である。ここで、上述した第１の実施形態と同等の構成については、同等又は同一の符号を付してその説明を簡略化又は省略する。
【００６０】
上述した第１の実施形態においては、各画素セルＰＥＣ相互の境界となるカラーフィルタ壁１４として、異なる２色のカラーフィルタを接合した構成を有し、画素セル内の対向するカラーフィルタ壁１４を構成する同一色のカラーフィルタの色成分を有する光を、三角プリズム１５の両傾斜面で内部反射させ、視野側に表示光として放射する構成を示したが、本実施形態においては、概略、カラーフィルタ壁として単色のカラーフィルタからなる構成を有し、三角プリズム１５の一方の傾斜面のみで内部反射させ、視野側に表示光として放射する構成を有している。
【００６１】
具体的には、図６（ａ）、（ｂ）に示すように、本実施形態に係る表示パネル１０Ｂを構成する各画素セルＰＥＣは、例えば、対向して配置された上部基板１１及び下部基板１２間に、表示画素の配列形態（例えば、マトリクス状の配列）に応じて、行方向に形成された複数の隔壁１３及び列方向に形成され、赤（Ｒ）、緑（Ｇ）、青（Ｂ）の単色のカラーフィルタ１４Ｒ、１４Ｇ、１４Ｂのいずれかからなる複数のカラーフィルタ壁１４により、相互に隔離された画素空間ＳＣを有する画素構造を有している。
【００６２】
また、各画素セルＰＥＣは、上部基板１１の背面側（画素空間ＳＣ側）に底面が接合され、頂辺が画素空間ＳＣに突出した三角プリズム１５と、該三角プリズム１５の一方の傾斜面に密着形成された透明電極１６ｂと、該透明電極１６ｂを被覆するように積層形成された透明な保護絶縁膜１８ｂと、三角プリズム１５の他方の傾斜面に密着形成された反射膜（光学部材）２２ｂと、下部基板１２の視野側（画素空間ＳＣ側）に形成された対向電極１７ｂと、該対向電極１７ｂを被覆するように積層形成された保護絶縁膜１９ｂと、該上部基板１１、下部基板１２、隔壁１３及びカラーフィルタ壁１４により形成された画素空間ＳＣ内に封入された黒色の帯電粒子（群）ＰＬＢと、を備えた構成を有している。
【００６３】
これにより、各画素セルＰＥＣにおいて、三角プリズム１５の傾斜面のうち、透明電極１６ｂが形成された側のカラーフィルタ壁１４（カラーフィルタ１４Ｒ、１４Ｇ、１４Ｂ）の色成分を有する表示光を視野側に放射することができる。したがって、これらの３色のカラーフィルタ１４Ｒ、１４Ｇ、１４Ｂを、図６（ａ）、（ｂ）に示すように、順次列方向に配列することにより、赤、緑、青の各色の３つの画素セルＰＥＣを１組とする一表示画素が構成される。
【００６４】
次いで、上述した構成を有する表示装置の表示駆動動作（画素セルの駆動方法）について、図面を参照して説明する。
図７は、本実施形態に係る表示装置に適用される画素セルの駆動状態を示す概念図である。ここでは、上述した実施形態と同様に、便宜的に各画素セルに封入された帯電粒子が、正（＋）極性に帯電している場合について説明する。
【００６５】
上述したような構成を有する表示パネル１０Ｂにおいて、透明電極１６ｂに対して正（＋）の電圧を印加し、対向電極１７ｂに対して負（−）の電圧を印加すると、図７（ａ）に示すように、画素セルＰＥＣ内に形成された電界により、帯電粒子ＰＬＢは、対向電極１７ｂ表面（保護絶縁膜１９ｂ表面）に付着する。これにより、視野側から画素セルＰＥＣに入射した外光は、三角プリズム１５の他方の傾斜面に設けられた反射膜２２ｂで内部反射（全反射）して、当該画素セルＰＥＣ（画素空間ＳＣ）を構成するカラーフィルタ壁１４（カラーフィルタ１４Ｒ、１４Ｇ、１４Ｂのいずれか）に照射され、該カラーフィルタ壁１４の各色成分を有する反射光が、三角プリズム１５の一方の傾斜面に設けられた保護絶縁膜１８ｂ及び透明電極１６ｂを介して再度入射し、三角プリズム１５の他方の傾斜面に設けられた反射膜２２ｂで内部反射（全反射）して、上部基板１１を介して視野側に放射される（図７（ａ）中、矢印で示した放射光路参照）。
【００６６】
したがって、視野側からは、各画素セルＰＥＣの一方のカラーフィルタ壁１４（三角プリズム１５の傾斜面のうち、透明電極１６ｂが設けられた側のカラーフィルタ壁１４）を構成するカラーフィルタの色が認識されることになり、当該画素セルＰＥＣは、カラーフィルタ壁１４（カラーフィルタ１４Ｒ、１４Ｇ、１４Ｂ）の色に応じた色表示状態を示す。
【００６７】
一方、透明電極１６ｂに対して負（−）の電圧を印加し、対向電極１７ｂに対して正（＋）の電圧を印加すると、図７（ｂ）に示すように、画素セルＰＥＣ内に形成された電界により、帯電粒子ＰＬＢは、透明電極１６ｂ表面（保護絶縁膜１８ｂ表面）に付着する。これにより、視野側から画素セルＰＥＣに入射した外光は、三角プリズム１５の一方の傾斜面に設けられた透明電極１６ｂに付着した帯電粒子ＰＬＢに照射され、該帯電粒子ＰＬＢの黒色成分を有する反射光が、三角プリズム１５の他方の傾斜面に設けられた反射膜２２ｂで内部反射（全反射）して、上部基板１１を介して視野側に放射される（図７（ｂ）中、矢印で示した放射光路参照）。したがって、視野側からは、帯電粒子ＰＬＢの色が認識されることになり、当該画素セルＰＥＣは、黒表示状態を示す。
【００６８】
このように、本実施形態に係る表示装置及びその表示駆動方法によれば、上述した第１の実施形態と同様に、表示画素を構成する各画素セルＰＥＣの透明電極１６ｂ及び対向電極１７ｂに印加する電圧に応じて、カラーフィルタの赤、緑、青色の加法混色により表現される特定の色、もしくは、帯電粒子の黒色を、表示色として視野側で直接認識することができるので、明るく（反射率が高く）、表示特性に優れた薄型のカラー表示装置を実現することができる。
【００６９】
また、本実施形態においては、各画素セルＰＥＣに設けられた三角プリズム１５の一方の傾斜面側を光の透過を可能とし、他方側に反射膜を設けて外光の入射角にかかわらず、光を全反射させる構成を有しているので、視野角を広げて視認性を向上させることができる。すなわち、上述した第１の実施形態において三角プリズムに入射した光の全反射は、三角プリズムとそれに隣接する媒体との屈折率に依存するため、入射光の全てを全反射させて視野側に放射することができず、特定の入射角を有する光のみとなり、視野角が限定されて狭くなる可能性がある。これに対して、本実施形態においては、三角プリズムの傾斜面に密着して形成された反射膜により、光の入射角に依存することなく全反射を実現することができるので、視野角を広げて視認性を向上させることができる。
【００７０】
＜第３の実施形態＞
次に、本発明に係る表示装置の第３の実施形態について説明する。
図８は、本発明に係る表示装置に適用可能な表示パネルの第３の実施形態を示す概略構成図である。ここで、上述した第１又は第２の実施形態と同等の構成については、同等又は同一の符号を付してその説明を簡略化又は省略する。
【００７１】
上述した第１又は第２の実施形態においては、各画素セルＰＥＣに設けられた三角プリズム１５の傾斜面に形成された透明電極１６ａ、１６ｂと、下部基板１２上に形成された対向電極１７ａ、１７ｂにより、所定の極性の電界を形成する構成を示したが、本実施形態においては、透明電極が三角プリズム１５の傾斜面以外に形成された構成を有している。
【００７２】
具体的には、図８（ａ）に示すように、本実施形態に係る表示パネル１０Ｃを構成する各画素セルＰＥＣは、第１の実施形態（図２（ａ）、（ｂ）参照）に示した表示パネル１０Ａにおいて、上部基板１１側に設けられる透明電極１６ｃが、画素セルＰＥＣを構成するカラーフィルタ壁１４の表面に形成され、さらに、該電極１６ｃを被覆するように保護絶縁膜１８ｃが積層形成された構成を有している。
【００７３】
すなわち、本実施形態（図８（ａ））においては、透明電極１６ｃが形成されるカラーフィルタ壁１４として、第１の実施形態と同様に、カラーフィルタ１４Ｒと１４Ｇ、カラーフィルタ１４Ｇと１４Ｂ、カラーフィルタ１４Ｒと１４Ｂの各組み合わせを背面接合した構成を有し、各画素セルＰＥＣごとに、画素空間ＳＣ（又は、後述する三角プリズム１５）を介して同一の色のカラーフィルタ同士が対向するように配置されるとともに、該カラーフィルタ同士の表面に透明電極１６ｃが対向するように一対設けられた構成を有している。
【００７４】
これにより、各画素セルＰＥＣにおいて、黒色の帯電粒子ＰＬＢを、カラーフィルタ壁１４表面の透明電極１６ｃと下部基板１２上の対向電極１７ｃ間で移動させることができるので、カラーフィルタ壁１４（カラーフィルタ１４Ｒ、１４Ｇ、１４Ｂ）の色成分を有する表示光、又は、該カラーフィルタ壁１４表面の透明電極１６ｃに付着した帯電粒子ＰＬＢの黒色を有する表示光を、選択的に視野側に放射することができる。
【００７５】
次いで、上述した構成を有する表示装置の表示駆動動作（画素セルの駆動方法）について、図面を参照して説明する。
図９は、本実施形態に係る表示装置に適用される画素セルの駆動状態を示す概念図である。ここでは、上述した実施形態と同様に、便宜的に各画素セルに封入された帯電粒子が、正（＋）極性に帯電している場合について説明する。
【００７６】
上述したような構成を有する表示パネル１０Ｃにおいて、透明電極１６ｃに対して正（＋）の電圧を印加し、対向電極１７ｃに対して負（−）の電圧を印加すると、図９（ａ）に示すように、画素セルＰＥＣ内に形成された電界により、帯電粒子ＰＬＢは、対向電極１７ｃ表面（保護絶縁膜１９ｃ表面）に付着する。これにより、視野側から画素セルＰＥＣに入射した外光は、三角プリズム１５、透明電極１６ｃを介して、当該画素セルＰＥＣ（画素空間ＳＣ）を構成するカラーフィルタ壁１４に照射され、該カラーフィルタ壁１４の各色成分を有する反射光が、三角プリズム１５の傾斜面を介して再度入射し、三角プリズム１５内部で全反射して、上部基板１１を介して視野側に放射される。したがって、視野側からは、第１の実施形態と同様に、各画素セルＰＥＣのカラーフィルタ壁１４を構成するカラーフィルタの色が認識されることになる（色表示状態）。
【００７７】
一方、透明電極１６ｃに対して負（−）の電圧を印加し、対向電極１７ｃに対して正（＋）の電圧を印加すると、図９（ｂ）に示すように、画素セルＰＥＣ内に形成された電界により、帯電粒子ＰＬＢは、透明電極１６ｃ表面（保護絶縁膜１８ｃ表面）に付着する。これにより、視野側から画素セルＰＥＣに入射した外光は、三角プリズム１５を介して、透明電極１６ｃに付着した帯電粒子ＰＬＢに照射され、該帯電粒子ＰＬＢの黒色成分を有する反射光が、三角プリズム１５の傾斜面を介して再度入射し、三角プリズム１５内部で全反射して、上部基板１１を介して視野側に放射される。したがって、視野側からは、帯電粒子ＰＬＢの色が認識されることになる（黒表示状態）。
【００７８】
このように、本実施形態に係る表示装置及びその表示駆動方法によれば、上述した各実施形態と同様に、各画素セルＰＥＣの透明電極１６ｃ及び対向電極１７ｃに印加する電圧に応じて、カラーフィルタの色の加法混色により表現される様々な色、及び、帯電粒子の黒色を、表示色として視野側で直接認識することができるので、明るく（反射率が高く）、表示特性に優れた薄型のカラー表示装置を実現することができる。
また、本実施形態においては、三角プリズム１５の傾斜面に透明電極や保護絶縁膜を形成する必要がなく、カラーフィルタ壁を構成するカラーフィルタを接合する工程と連続して透明電極や保護絶縁膜を積層することができるので、比較的簡易な製造プロセスでカラー表示が可能な表示装置を実現することができる。
【００７９】
なお、本実施形態（図８（ａ））においては、透明電極１６ｃが形成されるカラーフィルタ壁１４として、カラーフィルタ１４Ｒ、１４Ｇ、１４Ｂのうち、異なる色を有するカラーフィルタを背面接合した構成を示したが、図８（ｂ）に示すように、第２の実施形態（図６参照）と同様に、カラーフィルタ壁１４として、各々単一の色のカラーフィルタ１４Ｒ、１４Ｇ、１４Ｂからなる構成を有し、三角プリズム１５の他方の傾斜面に反射膜２２ｃが形成され、当該傾斜面とは反対側のカラーフィルタ壁１４表面にのみ、透明電極１６ｃ及び保護絶縁膜１８ｃを形成した構成を適用することもできる。
これによれば、第２の実施形態と同様に、各画素セルＰＥＣに設けられた三角プリズムの傾斜面に密着して形成された反射膜により、光の入射角に依存することなく全反射を実現することができるので、視野角を広げて視認性を向上させることができる。
【００８０】
＜第４の実施形態＞
次に、本発明に係る表示装置の第４の実施形態について説明する。
図１０は、本発明に係る表示装置に適用可能な表示パネルの第４の実施形態を示す概略構成図である。ここで、上述した第１の実施形態と同等の構成については、同等又は同一の符号を付してその説明を簡略化又は省略する。
【００８１】
上述した第１乃至第３の実施形態においては、各画素セルＰＥＣに設けられた三角プリズム１５に対向する下部基板１２上に対向電極１７ａ〜１７ｃを形成する構成（画素セルＰＥＣと略同等の平面的な広がりを有する構成）を示したが、本実施形態においては、対向電極がカラーフィルタ壁１４の端部に対向する下部基板１２上に形成された構成を有している。
【００８２】
具体的には、図１０（ａ）に示すように、本実施形態に係る表示パネル１０Ｄを構成する各画素セルＰＥＣは、第１の実施形態の他の構成例（図５（ａ）参照）に示した表示パネル１０Ａａにおいて、下部基板１２側に設けられる対向電極１７ｄが、下部基板１２との間に間隙を有するカラーフィルタ壁１４の端部に対向する領域の、下部基板１２表面に形成され、さらに、該電極１７ｄを被覆するように保護絶縁膜１９ｄが積層形成された構成を有している。また、三角プリズム１５に対向する領域の、下部基板１２表面に反射膜２３ｄが形成された構成を有している。
【００８３】
これにより、各画素セルＰＥＣにおいて、黒色の帯電粒子ＰＬＢを、三角プリズム１５表面の透明電極１６ｄとカラーフィルタ壁１４の端部に対向する下部基板１２上の対向電極１７ｄ間で移動させることができるので、カラーフィルタ壁１４の色成分を有する表示光、又は、三角プリズム１５表面の透明電極１６ｄに付着した帯電粒子ＰＬＢの黒色を有する表示光を、選択的に視野側に放射することができる。
【００８４】
次いで、上述した構成を有する表示装置の表示駆動動作（画素セルの駆動方法）について、図面を参照して説明する。
図１１は、本実施形態に係る表示装置に適用される画素セルの駆動状態を示す概念図である。ここでは、上述した実施形態と同様に、便宜的に各画素セルに封入された帯電粒子が、正（＋）極性に帯電している場合について説明する。
【００８５】
上述したような構成を有する表示パネル１０Ｄにおいて、透明電極１６ｄに対して正（＋）の電圧を印加し、対向電極１７ｄに対して負（−）の電圧を印加すると、図１１（ａ）に示すように、画素セルＰＥＣ内に形成された電界により、帯電粒子ＰＬＢは、カラーフィルタ壁１４の端部に対向して設けられた対向電極１７ｄ表面（保護絶縁膜１９ｄ表面）に付着する。これにより、視野側から画素セルＰＥＣに入射した外光は、三角プリズム１５、透明電極１６ｃを介して、当該画素セルＰＥＣ（画素空間ＳＣ）を構成するカラーフィルタ壁１４に照射され、該カラーフィルタ壁１４の各色成分を有する反射光が、三角プリズム１５内部で全反射して、上部基板１１を介して視野側に放射される。
【００８６】
また、視野側から画素セルＰＥＣに入射した外光のうち、上述した三角プリズム１５の傾斜面で全反射した光以外であって、該傾斜面から画素空間ＳＣに透過した光は、カラーフィルタ壁１４に照射されて反射した後、下部基板１２上の反射膜２３ｄにより正反射し、再度三角プリズム１５に入射して、上部基板１１を介してカラーフィルタ壁１４の色成分を有する光として視野側に放射される。したがって、視野側からは、各画素セルＰＥＣのカラーフィルタ壁１４を構成するカラーフィルタの色が認識されることになる（色表示状態）。
【００８７】
一方、透明電極１６ｄに対して負（−）の電圧を印加し、対向電極１７ｄに対して正（＋）の電圧を印加すると、図１１（ｂ）に示すように、画素セルＰＥＣ内に形成された電界により、帯電粒子ＰＬＢは、透明電極１６ｄ表面（保護絶縁膜１８ｄ表面）に付着する。これにより、視野側から画素セルＰＥＣに入射した外光は、三角プリズム１５を介して、透明電極１６ｄに付着した帯電粒子ＰＬＢに照射され、該帯電粒子ＰＬＢの黒色成分を有する反射光が、三角プリズム１５内部で全反射して、上部基板１１を介して視野側に放射される。したがって、視野側からは、帯電粒子ＰＬＢの色が認識されることになる（黒表示状態）。
【００８８】
このように、本実施形態に係る表示装置及びその表示駆動方法によれば、上述した各実施形態と同様に、各画素セルＰＥＣの透明電極１６ｄ及び対向電極１７ｄに印加する電圧に応じて、カラーフィルタの色の加法混色により表現される様々な色、及び、帯電粒子の黒色を、表示色として視野側で直接認識することができるので、明るく（反射率が高く）、表示特性に優れた薄型のカラー表示装置を実現することができる。
【００８９】
特に、本実施形態においては、各画素セルＰＥＣの下部基板１２表面に反射膜２３ｄを設けることにより、三角プリズム１５の傾斜面で全反射せず、透過した外光についても、カラーフィルタの色成分を有する表示光として視野側に放射されるので、光の利用効率（反射率）を向上させて、一層明るいカラー表示を実現することができるとともに、視野角を広げて視認性を向上させることができる。
【００９０】
なお、本実施形態（図１０（ａ））においては、対向電極１７ｄを、カラーフィルタ壁１４の端部に対向する領域の下部基板１２表面に設けた構成を示したが、図１０（ｂ）に示すように、カラーフィルタ壁１４の端部表面（端面）に対向電極１７ｄ及び保護絶縁膜１９ｄを設け、下部基板１２上の全面に反射膜２３ｄを形成した構成を適用することもできる。
【００９１】
また、本実施形態（図１０（ａ））においては、三角プリズム１５の一対の傾斜面の双方に透明電極１６ｄ及び保護絶縁膜１８ｄを形成した構成を示したが、図１０（ｃ）に示すように、第２の実施形態（図６参照）と同様に、カラーフィルタ壁として、各々単一の色のカラーフィルタ１４Ｒ、１４Ｇ、１４Ｂからなる構成を有し、三角プリズム１５の一方の傾斜面に透明電極１６ｄ及び保護絶縁膜１８ｄが形成され、他方の傾斜面に反射膜（光学部材）２２ｄが形成された構成を適用するものであってもよい。
【００９２】
＜第５の実施形態＞
次に、本発明に係る表示装置の第５実施形態について説明する。
図１２は、本発明に係る表示装置に適用可能な表示パネルの第５の実施形態を示す概略構成図である。ここで、上述した第２の実施形態と同等の構成については、同等又は同一の符号を付してその説明を簡略化又は省略する。
【００９３】
図１２に示すように、本実施形態に係る表示パネル１０Ｅを構成する各画素セルＰＥＣは、画素空間に突出して設けられた三角プリズム１５の一方の傾斜面に透明電極１６ｅ及び保護絶縁膜１８ｅが形成され、他方の傾斜面に反射膜（光学部材）２２ｅ、対向電極１７ｅ及び保護絶縁膜１９ｅが順次積層形成された構成を有している。
【００９４】
これにより、各画素セルＰＥＣにおいて、黒色の帯電粒子ＰＬＢを、三角プリズム１５の各傾斜面に個別に設けられた透明電極１６ｅと対向電極１７ｅ間で移動させることができるので、カラーフィルタ壁１４の色成分を有する表示光、又は、三角プリズム１５表面の透明電極１６ｅに付着した帯電粒子ＰＬＢの黒色を有する表示光を、選択的に視野側に放射することができる。
【００９５】
次いで、上述した構成を有する表示装置の表示駆動動作（画素セルの駆動方法）について、図面を参照して説明する。
図１３は、本実施形態に係る表示装置に適用される画素セルの駆動状態を示す概念図である。ここでは、上述した実施形態と同様に、便宜的に各画素セルに封入された帯電粒子が、正（＋）極性に帯電している場合について説明する。
【００９６】
上述したような構成を有する表示パネル１０Ｅにおいて、透明電極１６ｅに対して正（＋）の電圧を印加し、対向電極１７ｅに対して負（−）の電圧を印加すると、図１３（ａ）に示すように、画素セルＰＥＣ内に形成された電界により、帯電粒子ＰＬＢは、三角プリズム１５の他方の傾斜面（反射膜２２ｅ上）に設けられた対向電極１７ｅ表面（保護絶縁膜１９ｅ表面）に付着する。これにより、視野側から画素セルＰＥＣに入射した外光は、三角プリズム１５の他方の傾斜面に設けられた反射膜２２ｅで内部反射（全反射）して、当該画素セルＰＥＣ（画素空間ＳＣ）を構成するカラーフィルタ壁１４（カラーフィルタ１４Ｒ、１４Ｇ、１４Ｂのいずれか）に照射され、該カラーフィルタ壁１４の各色成分を有する反射光が、三角プリズム１５の一方の傾斜面に設けられた保護絶縁膜１８ｅ及び透明電極１６ｅを介して再度入射し、三角プリズム１５の他方の傾斜面に設けられた反射膜２２ｅで内部反射（全反射）して、上部基板１１を介して視野側に放射される。
【００９７】
したがって、視野側からは、各画素セルＰＥＣの一方のカラーフィルタ壁１４（三角プリズム１５の傾斜面のうち、透明電極１６ｅが設けられた側のカラーフィルタ壁１４）を構成するカラーフィルタの色が認識されることになり、当該画素セルＰＥＣは、カラーフィルタ壁１４（カラーフィルタ１４Ｒ、１４Ｇ、１４Ｂ）の色に応じた色表示状態を示す。
【００９８】
一方、透明電極１６ｅに対して負（−）の電圧を印加し、対向電極１７ｅに対して正（＋）の電圧を印加すると、図１３（ｂ）に示すように、画素セルＰＥＣ内に形成された電界により、帯電粒子ＰＬＢは、透明電極１６ｅ表面（保護絶縁膜１８ｅ表面）に付着する。これにより、視野側から画素セルＰＥＣに入射した外光は、三角プリズム１５の一方の傾斜面に設けられた透明電極１６ｅに付着した帯電粒子ＰＬＢに照射され、該帯電粒子ＰＬＢの黒色成分を有する反射光が、三角プリズム１５の他方の傾斜面に設けられた反射膜２２ｅで内部反射（全反射）して、上部基板１１を介して視野側に放射される。したがって、視野側からは、帯電粒子ＰＬＢの色が認識されることになり、当該画素セルＰＥＣは、黒表示状態を示す。
【００９９】
このように、本実施形態に係る表示装置及びその表示駆動方法によれば、上述した第２の実施形態と同様に、各画素セルＰＥＣの透明電極１６ｅ及び対向電極１７ｅに印加する電圧に応じて、カラーフィルタの色の加法混色により表現される様々な色、及び、帯電粒子の黒色を、表示色として視野側で直接認識することができるとともに、各画素セルＰＥＣに設けられた三角プリズムの傾斜面に密着して形成された反射膜により、光の入射角に依存することなく全反射を実現することができるので、ので、明るく（反射率が高く）、視野角が広い（視認性が良好な）カラー表示装置を実現することができる。
【０１００】
＜第６の実施形態＞
次に、本発明に係る表示装置の第６実施形態について説明する。
図１４は、本発明に係る表示装置に適用可能な表示パネルの第６の実施形態を示す概略構成図である。ここで、上述した各実施形態と同等の構成については、同等又は同一の符号を付してその説明を簡略化又は省略する。
【０１０１】
上述した第１乃至第５の実施形態においては、上部基板１１側から画素空間ＳＣに突出するように三角プリズム１５が設けられ、該三角プリズム１５により各画素セルＰＥＣ（画素空間ＳＣ）を規定するためのカラーフィルタ壁１４に外光を照射して、その反射光を視野側に放射することにより、カラーフィルタ壁１４の色を視認して色表示する構成を示したが、本実施形態においては、三角プリズムを用いることなく、上部基板を透過してカラーフィルタを直接視認する構成を有している。
【０１０２】
具体的には、図１４（ａ）に示すように、本実施形態に係る表示パネル１０Ｆを構成する各画素セルＰＥＣは、相互に対向して配置された上部基板１１及び下部基板１２と、上部基板１１の背面側（下部基板１２側）に、表示画素の配列形態に応じて、各画素セルＰＥＣの領域を規定するマトリクス状の黒色の薄膜層（ブラックマトリクス）２０と、各画素セルＰＥＣごとに、上部基板１１の背面側に形成された透明電極２４ｆと、該透明電極２４ｆを被覆するように積層形成された透明な保護絶縁膜２６ｆと、薄膜層２０に対応する下部基板１２の視野側（上部基板１１側）に形成された対向電極２５ｆと、該対向電極２５ｆを被覆するように積層形成された保護絶縁膜２７ｆと、透明電極２４ｆに対応する下部基板１２の視野側に積層形成された絶縁膜２９ｆ及び赤（Ｒ）、緑（Ｇ）、青（Ｂ）のいずれかの色のカラーフィルタ２８Ｒ、２８Ｇ、２８Ｂと、各画素セルＰＥＣごとに画素空間ＳＣに封入された黒色の帯電粒子（群）ＰＬＢと、を備えた構成を有している。
【０１０３】
ここで、各色のカラーフィルタ２８Ｒ、２８Ｇ、２８Ｂを備えた画素セルＰＥＣを、異なる色同士が隣り合うように配列することにより、赤、緑、青の３色の画素セルＰＥＣを１組とする、カラー表示を行うための一表示画素が構成される。
なお、図示を省略したが、上部基板１１と下部基板１２との間には、基板間の離間距離を一定に保持するためのスペーサや、図２（ａ）に示したような、行方向に配置された隔壁が設けられた構成を適用することができる。また、絶縁膜２９ｆは、例えば、下部基板１２に用いられる絶縁性の基板材料とカラーフィルタに用いられる薄膜材料との剥離を防止して、密着性を向上させるため定着膜である。
【０１０４】
次いで、上述した構成を有する表示装置の表示駆動動作（画素セルの駆動方法）について、図面を参照して説明する。
図１５は、本実施形態に係る表示装置に適用される画素セルの駆動状態を示す概念図である。ここでは、上述した実施形態と同様に、便宜的に各画素セルに封入された帯電粒子が、正（＋）極性に帯電している場合について説明する。
【０１０５】
上述したような構成を有する表示パネル１０Ｆにおいて、透明電極２４ｆに対して正（＋）の電圧を印加し、対向電極２５ｆに対して負（−）の電圧を印加すると、図１５（ａ）に示すように、画素セルＰＥＣ内に形成された電界により、帯電粒子ＰＬＢは、黒色の薄膜層２０に対向する領域であって、下部基板１２側に設けられた対向電極２５ｆ表面（保護絶縁膜２７ｆ表面）に付着する。これにより、視野側から画素セルＰＥＣに入射した外光は、透明電極２４ｆを介して下部基板１２上に設けられたカラーフィルタ２８Ｒ、２８Ｇ、２８Ｂに直接照射され、該カラーフィルタ２８Ｒ、２８Ｇ、２８Ｂの各色成分を有する反射光が、透明電極２４ｆ及び上部基板１１を介して視野側に放射される。したがって、視野側からは、各画素セルＰＥＣの背面側（下部基板１２側）に設けられたカラーフィルタの色が認識されることになり、画素セルＰＥＣは、当該カラーフィルタ２８Ｒ、２８Ｇ、２８Ｂの色に応じた色表示状態を示す。
【０１０６】
一方、透明電極２４ｆに対して負（−）の電圧を印加し、対向電極２５ｆに対して正（＋）の電圧を印加すると、図１５（ｂ）に示すように、画素セルＰＥＣ内に形成された電界により、帯電粒子ＰＬＢは、透明電極２４ｆ表面（保護絶縁膜２６ｆ表面）に付着する。これにより、視野側から画素セルＰＥＣに入射した外光は、上部基板１１の背面側に設けられた透明電極２４ｆに付着した帯電粒子ＰＬＢに照射され、該帯電粒子ＰＬＢの黒色成分を有する反射光が、上部基板１１を介して視野側に放射される。したがって、視野側からは、帯電粒子ＰＬＢの色が認識されることになり、画素セルＰＥＣは、黒表示状態を示す。
【０１０７】
このように、本実施形態に係る表示装置及びその表示駆動方法によれば、各画素セルＰＥＣの透明電極２４ｆ及び対向電極２５ｆに印加する電圧に応じて、カラーフィルタの色の加法混色により表現される様々な色、及び、帯電粒子の黒色を、表示色として視野側で直接認識することができるので、明るい（反射率が高い）カラー表示装置を実現することができる。
【０１０８】
特に、本実施形態においては、各画素セルＰＥＣの画素構造として、三角プリズム等の光学部材を用いる必要がないので、画素構造や製造プロセスを簡素化して、製造コストを削減することができる。
なお、本実施形態（図１４（ａ））においては、対向電極２５及び保護絶縁膜２７ｆ、を黒色の薄膜層２０に対向する領域の下部基板１２表面に設けた構成を示したが、図１４（ｂ）に示すように、上部基板１１側の黒色の薄膜層２０上に設けた構成を適用することもできる。
【０１０９】
＜第７の実施形態＞
次に、本発明に係る表示装置の第７実施形態について説明する。
図１６は、本発明に係る表示装置に適用可能な表示パネルの第７の実施形態を示す概略構成図である。ここで、上述した各実施形態と同等の構成については、同等又は同一の符号を付してその説明を簡略化又は省略する。
【０１１０】
上述した第１乃至第６の実施形態においては、カラーフィルタ壁又はカラーフィルタとして、赤（Ｒ）、緑（Ｇ）、青（Ｂ）のいずれかの色を有し、色表示状態において、これらの色の加法混色により、白色を含む様々な色を表現する手法（図４参照）について示したが、本発明はこれに限定されるものではなく、上記赤（Ｒ）、緑（Ｇ）、青（Ｂ）に対して補色の関係にあるシアン（Ｃ）、イエロー（Ｙ）、マゼンタ（Ｍ）の３色からなるカラーフィルタを用いて、色表示状態において、これらの色の減法混色により、黒色を含む様々な色を表現する手法を適用するものであってもよい。
【０１１１】
以下、上述した第１の実施形態（図２参照）と同等の構成を有する表示パネル（画素セル）に、減法混色の手法を適用した場合について説明するが、他の実施形態においても同様に適用することができることはいうまでもない。
図１６に示すように、本実施形態に係る表示パネル１０Ｘを構成する各画素セルＰＥＣは、第１の実施形態と同様に、対向して配置された上部基板１１及び下部基板１２と、行方向に形成された複数の隔壁（図示を省略、図２（ａ）参照）及び列方向に形成された複数のカラーフィルタ壁１４により隔離された画素空間ＳＣと、上部基板１１の背面側（画素空間ＳＣ側）から画素空間ＳＣに突出し、傾斜面に透明電極１６ｘ及び保護絶縁膜１８ｘが積層形成された三角プリズム１５と、該三角プリズム１５に対向する下部基板１２の視野側（画素空間ＳＣ側）に積層形成された対向電極１７ｘ及び保護絶縁膜１９ｘと、画素空間ＳＣ内に封入された白色の帯電粒子（群）ＰＬＷと、を備えた構成を有している。
【０１１２】
また、表示パネル１０Ｘの列方向に形成されるカラーフィルタ壁１４は、各々、シアン（Ｃ）、イエロー（Ｙ）、マゼンタ（Ｍ）の各色のカラーフィルタ１４Ｃ、１４Ｙ、１４Ｍから選択された２色のカラーフィルタ同士を接合した薄板（又は、薄膜）構造を有し、各画素セルＰＥＣごとに、画素空間ＳＣを介して同一の色のカラーフィルタ同士が対向するように配置されている。
ここで、各色のカラーフィルタ１４Ｃ、１４Ｙ、１４Ｍが対向して配置された画素セルＰＥＣを、異なる色同士が隣り合うように配列することにより、シアン、イエロー、マゼンタの３色の画素セルＰＥＣを１組とする、カラー表示を行うための一表示画素が構成される。
【０１１３】
また、各画素セルＰＥＣ相互を隔離するカラーフィルタ壁１４と上部基板１１との間、もしくは、行方向に配設された隔壁及び列方向に配設されたカラーフィルタ壁１４と上部基板１１との間には、白色の薄膜層３０が設けられている。すなわち、表示パネル１０Ｘは、その表示領域の全域にわたり、各表示画素（画素セル）間の境界領域に縦縞状（列方向）のホワイトストライプ、もしくは、格子状のホワイトマトリクスが形成された構成を有している。
【０１１４】
次いで、上述した構成を有する表示装置の表示駆動動作（画素セルの駆動方法）について、図面を参照して説明する。
図１７は、本実施形態に係る表示装置に適用される画素セルの駆動状態を示す概念図であり、図１８は、本実施形態に係る表示装置（表示画素）における表示色を説明するための減法混色を示す図である。ここでは、上述した実施形態と同様に、便宜的に各画素セルに封入された帯電粒子が、正（＋）極性に帯電している場合について説明する。
【０１１５】
上述した表示パネル１０Ｘにおいて、透明電極１６ｘに対して正（＋）の電圧を印加し、対向電極１７ｘに対して負（−）の電圧を印加すると、図１６（ａ）に示すように、画素セルＰＥＣ内に形成された電界（第２の電界）により、帯電粒子ＰＬＷは、対向電極１７ｘ表面（保護絶縁膜１９ｘ表面）に付着する。これにより、視野側から上部基板１１を介して画素セルＰＥＣに入射した外光は、三角プリズム１５の傾斜面で内部反射（全反射）して、傾斜面に形成された透明電極１６ｘ及び保護絶縁膜１８ｘを透過して画素セルＰＥＣを構成するカラーフィルタ壁１４（カラーフィルタ１４Ｃ、１４Ｙ、１４Ｍのいずれか）に照射され、該カラーフィルタ壁１４の各色成分を有する反射光が、三角プリズム１５の傾斜面を介して再度入射し、三角プリズム１５の傾斜面で内部反射（全反射）して、上部基板１１を介して視野側に放射される照射される。したがって、視野側からは、各画素セルＰＥＣのカラーフィルタ壁１４を構成するカラーフィルタの色が認識されることになり、当該画素セルＰＥＣは、シアン、イエロー、マゼンタのいずれかの色を表示する状態（色表示状態）を示す（色表示動作；第２の色表示動作）。
【０１１６】
一方、透明電極１６ｘに対して負（−）の電圧を印加し、対向電極１７ｘに対して正（＋）の電圧を印加すると、図１７（ｂ）に示すように、画素セルＰＥＣ内に形成された電界（第１の電界）により、帯電粒子ＰＬＷは、透明電極１６ｘ表面（保護絶縁膜１８ｘ表面）に付着する。これにより、視野側から上部基板１１を介して画素セルＰＥＣに入射した外光は、三角プリズム１５の傾斜面に設けられた透明電極１６ｘの表面に付着した帯電粒子ＰＬＷに照射され、該帯電粒子ＰＬＷの白色成分を有する反射光が、三角プリズム１５の傾斜面を介して再度入射し、三角プリズム１５の傾斜面で内部反射（全反射）して、上部基板１１を介して視野側に放射される。したがって、視野側からは、帯電粒子ＰＬＷの色が認識されることになり、当該画素セルＰＥＣは、白表示状態を示す（第１の色表示動作）。
【０１１７】
このような各画素セルにおける色表示及び白表示状態を適宜設定することにより、３色の画素セル一組で構成される各表示画素における表示色を任意に設定することができる。ここで、上述したように、本実施形態に係る表示装置においては、表示画素を構成する各画素セルＰＥＣ内のカラーフィルタ壁１４を構成するカラーフィルタ１４Ｃ、１４Ｙ、１４Ｍが、上述した赤（Ｒ）、緑（Ｇ）、青（Ｂ）に対して補色の関係にあるシアン（Ｃ）、イエロー（Ｙ）、マゼンタ（Ｍ）の３原色に設定され、これらのカラーフィルタ及び帯電粒子ＰＬＷからの反射光（表示光）を直接視認することにより色が認識される表示形式を有しているので、周知の減法混色に基づく各画素セルの色の重ね合わせ（３色の混合）及びその混合比率により、図１８に示すように、黒色を含むカラー表示に適用可能な基本的な表示色が実現される。なお、図１８において、Ｃはシアン、Ｙはイエロー、Ｍはマゼンタであり、ＣＹはシアンとイエローの減法混色である緑系色、ＹＭはイエローとマゼンタの減法混色である赤系色、ＣＭはシアンとマゼンタの減法混色である青系色、ＢＫはシアン、イエロー、マゼンタの減法混色である黒である。
【０１１８】
したがって、本実施形態に係る表示装置及びその表示駆動方法によれば、表示画素を構成する各画素セルの透明電極及び対向電極に印加する電圧に応じて、白色を有する帯電粒子をいずれかの電極側に吸着させることにより、設定される表示色（カラーフィルタのシアン、イエロー、マゼンタの単色又はその減法混色、もしくは、帯電粒子の白色）を透明な上部基板を通して直接視認することができるので、従来技術に示したような視野側の基板（上部基板）上にカラーフィルタを設けて表示画素（画素セル）を視認する構成に比較して、各表示色を明るく認識することができ、反射率の高いカラー表示装置を実現することができる。
【０１１９】
なお、上述した各実施形態に示した表示装置（表示パネル）に適用可能な帯電粒子は、例えば、ファックス通信機や複写機、レーザープリンタ等で用いられている、周知のトナーと同等の微粒子及びその製造方法を適用することができるが、以下に示すような特性を有していることを必要とする。
【０１２０】
すなわち、一般に適用されるトナーにおいては、紙等の被着体にトナー粒子が固定的に付着（結着）する必要があるため、その粒子構造として結着樹脂に有機顔料等の着色剤を含有させた微粒子が用いられるが、本発明においては、上述したように画素セル内に形成される電界に応じて、当該微粒子（帯電粒子）が一対の電極間を迅速かつ的確に移動する必要があるため、各電極への印加電圧により形成される電界強度に基づく静電気力のみ、もしくは、該静電気力に加え、電極からの離脱が可能な程度の比較的弱い結着力で、電極表面（厳密には、保護絶縁膜表面）に付着する特性を有する微粒子を適用することが望ましい。
そこで、本発明においては、例えば、黒色を有する微粒子として、例えば、炭素や黒鉛系の粒状粒子を良好に適用することができ、また、白色を有する微粒子として、酸化チタン系の粒状粒子を良好に適用することができる。
【図面の簡単な説明】
【０１２１】
【図１】本発明に係る表示装置の概略構成を示す概念図である。
【図２】本発明に係る表示装置に適用可能な表示パネルの第１の実施形態を示す概略構成図である。
【図３】第１の実施形態に係る表示装置に適用される画素セルの駆動状態を示す概念図である。
【図４】第１の実施形態に係る表示装置（表示画素）における表示色を説明するための加法混色を示す図である。
【図５】本実施形態に係る表示パネルの他の構成例を示す概略構成図である。
【図６】本発明に係る表示装置に適用可能な表示パネルの第２の実施形態を示す概略構成図である。
【図７】第２の実施形態に係る表示装置に適用される画素セルの駆動状態を示す概念図である。
【図８】本発明に係る表示装置に適用可能な表示パネルの第３の実施形態を示す概略構成図である。
【図９】第３の実施形態に係る表示装置に適用される画素セルの駆動状態を示す概念図である。
【図１０】本発明に係る表示装置に適用可能な表示パネルの第４の実施形態を示す概略構成図である。
【図１１】第４の実施形態に係る表示装置に適用される画素セルの駆動状態を示す概念図である。
【図１２】本発明に係る表示装置に適用可能な表示パネルの第５の実施形態を示す概略構成図である。
【図１３】第５の実施形態に係る表示装置に適用される画素セルの駆動状態を示す概念図である。
【図１４】本発明に係る表示装置に適用可能な表示パネルの第６の実施形態を示す概略構成図である。
【図１５】第６の実施形態に係る表示装置に適用される画素セルの駆動状態を示す概念図である。
【図１６】本発明に係る表示装置に適用可能な表示パネルの第７の実施形態を示す概略構成図である。
【図１７】第７の実施形態に係る表示装置に適用される画素セルの駆動状態を示す概念図である。
【図１８】第７の実施形態に係る表示装置（表示画素）における表示色を説明するための減法混色を示す図である。
【図１９】従来技術における電気泳動方式を適用した表示デバイスの一例を示す概略構成図である。
【図２０】従来技術におけるトナー方式を適用した表示デバイスの一例を示す概略構成図である。
【符号の説明】
【０１２２】
１０、１０Ａ〜１０Ｆ      表示パネル
１１        上部基板
１２        下部基板
１３        隔壁
１４        カラーフィルタ壁
１４Ｒ、１４Ｇ、１４Ｇ、１４Ｃ、１４Ｙ、１４Ｍ    カラーフィルタ
１５        三角プリズム
１６ａ〜１６ｅ、２４ｆ    透明電極
１７ａ〜１７ｅ、２５ｆ    対向電極
２２ｂ、２２ｃ、２３ｄ、２３ｅ      反射膜
ＰＥＣ      画素セル
ＰＬＢ、ＰＬＷ    帯電粒子
【図１】
2005275261.tif 000003
【図２】
2005275261.tif 000004
【図３】
2005275261.tif 000005
【図４】
2005275261.tif 000006
【図５】
2005275261.tif 000007
【図６】
2005275261.tif 000008
【図７】
2005275261.tif 000009
【図８】
2005275261.tif 000010
【図９】
2005275261.tif 000011
【図１０】
2005275261.tif 000012
【図１１】
2005275261.tif 000013
【図１２】
2005275261.tif 000014
【図１３】
2005275261.tif 000015
【図１４】
2005275261.tif 000016
【図１５】
2005275261.tif 000017
【図１６】
2005275261.tif 000018
【図１７】
2005275261.tif 000019
【図１８】
2005275261.tif 000020
【図１９】
2005275261.tif 000021
【図２０】
2005275261.tif 000022